(57)【要約】眼鏡類フレームを備える、滑脱防止眼鏡類システムは、概して、眼鏡類フレームのブリッジに結合するように構成される鼻当て材料を備える、鼻当てを備える。フレームは、第１および第２のばね荷重張力調節具にもまた結合される、眼鏡類フレームに結合される、第１および第２のヒンジを備える。第１および第２のつるが、第１および第２の張力調節具に結合される。第１のつる延在要素が、第１のつるに結合され、第１の締結要素を第１のつる延在要素の第１の端部に備え、第２のつる延在要素が、第２のつるに結合された第２の締結要素であって、第１の締結要素と噛合し、第１および第２のつる延在要素をともに固着するように構成される、第２の締結要素を第２のつる延在要素の第１の端部に備える。
2018538579.tif 000002
【特許請求の範囲】
【請求項１】
滑脱防止眼鏡類システムであって、
眼鏡類フレームのブリッジに結合するように構成される鼻当て材料を備える鼻当てと、
前記眼鏡類フレームの第１のヒンジおよび第１のつるに結合するように構成される張力調節具であって、前記張力調節具は、
少なくとも部分的にばねを通して通過する雌ねじ付きバレルを格納するように構成される筐体であって、前記雌ねじ付きバレルおよび前記ばねは、少なくとも部分的に前記筐体の中に通過する第１のつるの第１の端部内に少なくとも部分的に着座するように構成される、筐体と、
前記雌ねじ付きバレルに螺合結合し、前記第１のつるの張力を調節するように構成される、調節ねじと、
を備える、張力調節具と、
眼鏡類保定具であって、
前記第１のつるの第２の端部から延在するように構成される第１のつる延在要素であって、前記第１のつる延在要素は、前記第１のつる延在要素の第１の端部から外向きに延在する突出部を備える、第１のつる延在要素と、
第２のつるの第２の端部から延在するように構成される第２のつる延在要素であって、前記第２のつる延在要素は、前記第２のつる延在要素の第１の端部が前記第１のつる延在要素の第１の端部に重なったとき、前記第１のつる延在要素の突出部を受容することによって前記第１および第２のつる延在要素をともに固着するように構成される開口部を前記第２のつる延在要素の第１の端部に備える、第２のつる延在要素と、
を備える、眼鏡類保定具と、
を備える、滑脱防止眼鏡類システム。
【請求項２】
前記眼鏡類保定具に結合され、そこから延在する、眼鏡類保定具延在部をさらに備え、前記眼鏡類保定具延在部は、前記眼鏡類保定具が係脱されたとき、前記眼鏡類をユーザの頸部の周囲に保定するように構成される、請求項１に記載の滑脱防止眼鏡類システム。
【請求項３】
前記鼻当てはさらに、前記鼻当て材料を通して通過する少なくとも１つの換気開口部を備える、請求項１に記載の滑脱防止眼鏡類システム。
【請求項４】
前記眼鏡類フレームに結合するように構成される照明具をさらに備える、請求項１に記載の滑脱防止眼鏡類システム。
【請求項５】
前記張力調節具の筐体および前記眼鏡類保定具のうちの少なくとも１つは、前記照明具の電源コードをそれを通して通過させるように構成されるチャネルを備える、請求項４に記載の滑脱防止眼鏡類システム。
【請求項６】
前記張力調節具はさらに、前記眼鏡類フレームの角度が張力調節具筐体に対して調節可能であるように前記眼鏡類の第１のヒンジに結合するように構成される角度調節ねじを備える、請求項１に記載の滑脱防止眼鏡類システム。
【請求項７】
複数の隆起した突出部を前記第１および第２のつるの第２の端部上にさらに備え、前記複数の隆起した突出部は、それぞれ、前記第１および第２のつる延在要素内の複数の開口部と噛合するように構成される、請求項１に記載の滑脱防止眼鏡類システム。
【請求項８】
滑脱防止眼鏡類システムであって、
前記システムは、眼鏡類フレームを備え、
前記眼鏡類フレームは、
前記眼鏡類フレームのブリッジに結合するように構成される鼻当て材料を備える鼻当てと、
前記眼鏡類フレームに結合される第１のヒンジおよび第２のヒンジであって、前記第１のヒンジおよび第２のヒンジは、それぞれ、第１および第２のばね荷重張力調節具に結合される、第１および第２のヒンジと、
第１のつるおよび第２のつるであって、前記第１のつるおよび第２のつるは、それぞれ、前記第１および第２の張力調節具に結合される、第１のつるおよび第２のつると、
前記第１のつるに結合された第１のつる延在要素であって、前記第１のつる延在要素は、第１の締結要素を前記第１のつる延在要素の第１の端部に備える、第１のつる延在要素と、
前記第２のつるに結合された第２のつる延在要素であって、前記第２のつる延在要素は、第２の締結要素を前記第２のつる延在要素の第１の端部に備え、前記第２の締結要素は、前記第１の締結要素と噛合し、前記第１および第２のつる延在要素をともに固着するように構成される、第２のつる延在要素と、
を備える、滑脱防止眼鏡類システム。
【請求項９】
前記眼鏡類保定具に結合され、そこから延在する、眼鏡類保定具延在部をさらに備え、前記眼鏡類保定具は、前記眼鏡類保定具が係脱されたとき、前記眼鏡類をユーザの頸部の周囲に保定するように構成される、請求項８に記載の滑脱防止眼鏡類システム。
【請求項１０】
前記鼻当てに結合するように構成される拡張具をさらに備える、請求項８に記載の滑脱防止眼鏡類システム。
【請求項１１】
前記眼鏡類フレームの下側部分と噛合し、前記拡張具に結合するように構成される、下側フレーム重層部をさらに備える、請求項１０に記載の滑脱防止眼鏡類システム。
【請求項１２】
前記張力調節具および前記眼鏡類保定具のうちの少なくとも１つは、前記照明具の電源コードをそれを通して通過させるように構成されるチャネルを備える、請求項１１に記載の滑脱防止眼鏡類システム。
【請求項１３】
前記張力調節具はさらに、前記眼鏡類フレームの角度が前記ばね荷重張力調節具に対して調節可能であるように前記眼鏡類の第１のヒンジに結合するように構成される角度調節ねじを備える、請求項８に記載の滑脱防止眼鏡類システム。
【請求項１４】
複数の隆起した突出部を前記第１および第２のつるの端部上にさらに備え、前記複数の隆起した突出部は、前記ばね荷重張力調節具から遠位にあり、それぞれ、前記第１および第２のつる延在要素内の複数の開口部と噛合するように構成される、請求項８に記載の滑脱防止眼鏡類システム。
【請求項１５】
滑脱防止眼鏡類システムであって、
眼鏡類フレームのブリッジに結合するように構成される鼻当て材料を備える鼻当てと、
前記眼鏡類の第１のヒンジおよび第１のつるに結合するように構成される張力調節具であって、前記張力調節具は、
少なくとも部分的にばねを通して通過する雌ねじ付きバレルを格納するように構成される筐体であって、前記雌ねじ付きバレルおよび前記ばねは、少なくとも部分的に前記筐体の中に通過する第１のつるの第１の端部内に少なくとも部分的に着座するように構成される、筐体と、
前記雌ねじ付きバレルに螺合結合し、前記第１のつるの張力を調節するように構成される、調節ねじと、
を備える、張力調節具と、
第１および第２のつる延在要素を備える眼鏡類保定具であって、前記第１および第２のつる延在要素は、それぞれ、前記第１のつるおよび第２のつるの第２の端部から延在し、ユーザの頭部の背後に締結するように構成される、眼鏡類保定具と、
を備える、滑脱防止眼鏡類システム。
【請求項１６】
前記眼鏡類保定具に結合され、そこから延在する、眼鏡類保定具延在部をさらに備え、前記眼鏡類保定具延在部は、前記眼鏡類保定具が係脱されたとき、前記眼鏡類をユーザの頸部の周囲に保定するように構成される、請求項１５に記載の滑脱防止眼鏡類システム。
【請求項１７】
前記鼻当てはさらに、前記鼻当て材料を通して通過する少なくとも１つの換気開口部を備える、請求項１５に記載の滑脱防止眼鏡類システム。
【請求項１８】
前記眼鏡類フレームに結合するように構成される照明具をさらに備える、請求項１５に記載の滑脱防止眼鏡類システム。
【請求項１９】
前記張力調節具の筐体および前記眼鏡類保定具のうちの少なくとも１つは、前記照明具の電源コードをそれを通して通過させるように構成されるチャネルを備える、請求項１５に記載の滑脱防止眼鏡類システム。
【請求項２０】
複数の隆起した突出部を前記第１および第２のつるの端部上にさらに備え、前記複数の隆起した突出部は、前記張力調節具から遠位にあり、それぞれ、前記第１および第２のつる延在要素内の複数の開口部と噛合するように構成される、請求項１５に記載の滑脱防止眼鏡類システム。
【発明の詳細な説明】
【技術分野】
【０００１】
（関連出願の相互参照）
本願は、２０１５年１２月１５日に出願された米国仮特許出願第６２／２６７，５５８号に対する合衆国法典第３５巻セクション１１９（ｅ）のもとでの優先権を主張するものであり、その内容の全体は、参照により本明細書中に援用される。
【０００２】
（政府支援の研究または開発に関するステートメント）
本願には該当なし
【０００３】
（１．発明の分野）
例示的実施形態は、一般に、ユーザによって装着されたときに滑脱または意図されない位置変化に抵抗する眼鏡類システムに関する。
【背景技術】
【０００４】
（２．関連技術）
医師、歯科医、獣医、宝石職人、および多くの他の専門家は、作業中の面積を拡大するために、ルーペ等の眼鏡類を利用する。一般に、ルーペが、低拡大率でさえも非常に重く、ユーザによって所望される拡大率が増加するにつれて、重量が実質的に増加し得ることは、これらの専門家の中で公知である。ルーペが、従来の眼鏡類フレームに取り付けられると、ルーペの重量は、多くの場合、ユーザが作業および移動するにつれて、眼鏡類を摺動または別様に位置を変化させ、これは、ユーザに、ユーザの顔上の眼鏡類の位置を手動で再調節させる。本問題は、特定の先祖伝来の遺伝形質の中で一般的な顔特性である平坦な鼻梁またはあまり顕著ではない鼻梁を有するユーザにとって度を増す。
【０００５】
本問題に対する従来の解決策は、コードまたは他の紐状デバイスを眼鏡類フレームのつるに取り付け、コードをユーザの頭部の背後に固着し、使用時、眼鏡類の摺動または他の移動を最小限にすることを含む。しかしながら、本解決策は、コード等の軟質材料が医療および歯科衛生化基準に準拠するように消毒されることができず、患者処置の過程全体を通してユーザによって触れられ、患者にわたる相互汚染につながり得るため、衛生上の問題につながる。コードをユーザの頭部の背後に緊締することはまた、大きな圧力がユーザの顔に印加される得るほどコードが十分に緊締されなければならないため、非常に不快であり得る。そのような従来の解決策は、例えば、サングラス等の軽量眼鏡類に好適であるが、ルーペ等のより重い眼鏡類を快適に固着するには好適ではない。
【発明の概要】
【課題を解決するための手段】
【０００６】
本発明の例示的実施形態は、滑脱防止眼鏡類システムを対象とする。滑脱防止眼鏡類システムは、ユーザによって装着されたとき、個々に、または組み合わせて、眼鏡類が滑脱または位置変化することを防止する、種々の特徴を含む。
【０００７】
ここまでは、その発明を実施するための形態がより良く理解され得るために、かつ当該分野への本寄与がより良く認識され得るために、滑脱防止眼鏡類システムの特徴のうちのいくつかが、かなり広義に概略された。滑脱防止眼鏡類システムの付加的特徴は、本明細書の以降で説明され、本明細書に添付の請求項の主題を形成するであろう。本点において、滑脱防止眼鏡類システムの少なくとも一実施形態を詳細に説明する前に、滑脱防止眼鏡類システムは、その用途において、以下の説明に記載される、または図面に図示される、構造の詳細または構成要素の配列に限定されないことを理解されたい。滑脱防止眼鏡類システムは、他の実施形態も可能であって、種々の方法において実践および実施されることが可能である。また、本明細書に採用される語句および専門用語は、説明目的のためのものであって、限定と見なされるべきではないことを理解されたい。
【０００８】
滑脱防止眼鏡類システムの実施形態は、眼鏡類フレームのブリッジに結合するように構成される鼻当て材料を備える鼻当てを備えてもよい。滑脱防止眼鏡類システムは、眼鏡類フレームの第１のヒンジおよび第１のつるに結合するように構成される張力調節具を備えてもよい。張力調節具は、少なくとも部分的にばねを通して通過する雌ねじ付きバレルを格納するように構成される筐体を備えてもよい。雌ねじ付きバレルおよびばねは、少なくとも部分的に筐体の中に通過する第１のつるの第１の端部内に少なくとも部分的に着座するように構成されてもよい。張力調節具はさらに、雌ねじ付きバレルに螺合結合し、第１のつるの張力を調節するように構成される、調節ねじを備えてもよい。滑脱防止眼鏡類システムは、第１のつるの第２の端部から延在するように構成される第１のつる延在要素を有する眼鏡類保定具を備えてもよい。第１のつる延在要素は、第１のつる延在要素の第１の端部から外向きに延在する突出部を備えてもよく、第２のつる延在要素は、第２のつるの第２の端部から延在するように構成されてもよい。第２のつる延在要素は、第２のつる延在要素の第１の端部が第１のつる延在要素の第１の端部に重なるときに第１のつる延在要素の突出部を受容することによって第１および第２のつる延在要素をともに固着するように構成される開口部を第２のつる延在要素の第１の端部に備えてもよい。いくつかの実施形態はさらに、眼鏡類保定具延在部、照明具、および眼鏡類フレームの角度が張力調節具に対して調節されることを可能にする角度調節ねじのうちの少なくとも１つを備えてもよい。
【０００９】
本明細書に提示される本発明の側面および用途は、図面および発明を実施するための形態において以下に説明される。具体的に記載されない限り、明細書および請求項における単語および語句は、その平易で通常的な当業者に慣れ親しまれた意味が与えられることが意図される。本発明者らは、所望に応じて、その独自の辞書編纂者となり得ることを十分に承知している。本発明者らは、その独自の辞書編纂者として、該当しないことを明確に述べない限り、明細書および請求項において用語の平易で通常的な意味のみを使用することを明示的に選択し、該当する場合、さらに、その用語の「特殊」定義を明示的に記載し、それが平易で通常的な意味とどのように異なるかを説明する。「特殊」定義を適用することのそのような明確な意図の記載がない場合、本発明者らは、用語に対する単純な、平易な、そして通常的な意味が明細書および請求項の解釈に適用されることを意図および所望する。
【００１０】
本発明者らはまた、英文法の通常規則を承知している。したがって、ある名詞、用語、または語句が、ある方法において、さらに特徴付けられる、規定される、または狭められることが意図される場合、そのような名詞、用語、または語句は、英文法の通常規則に従って、付加的形容詞、記述用語、または他の修飾語を明示的に含むであろう。そのような形容詞、記述用語、または修飾語の使用がない場合、そのような名詞、用語、または語句は、上記に記載されるように、その平易で当業者にとって通常的な英語の意味が与えられることが意図される。
【００１１】
さらに、本発明者らは、３５Ｕ．Ｓ．Ｃ．§１１２（ｆ）の特例規定の基準および適用を十分に熟知している。したがって、発明を実施するための形態または図面の簡単な説明または請求項における単語「機能」、「手段」、または「ステップ」の使用は、本発明を定義するために、３５Ｕ．Ｓ．Ｃ．§１１２（ｆ）の特例規定を行使することの所望をいかようにも示すことを意図するものではない。対照的に、３５Ｕ．Ｓ．Ｃ．§１１２（ｆ）の規定が、本発明を定義するために行使されることが求められる場合、請求項は、正確な語句「〜するための手段」または「〜するためのステップ」と具体的かつ明示的に述べ、また、そのような語句の中に、機能の裏付けとして任意の構造、材料、または行為もまた列挙することなく、単語「機能」を列挙するであろう（すなわち、「［機能を挿入］の機能を行うための手段」と述べるであろう）。したがって、請求項が、「．．．の機能を行うための手段」または「．．．の機能を行うためのステップ」を列挙するときでも、請求項がまた、その手段またはステップの裏付けとして、または列挙された機能を行う任意の構造、材料、または行為を列挙する場合、本発明者らは、３５Ｕ．Ｓ．Ｃ．§１１２（ｆ）の規定を行使するものではないことを明確に意図する。さらに、３５Ｕ．Ｓ．Ｃ．§１１２（ｆ）の規定が、請求される発明を定義するために行使される場合でも、本発明は、好ましい実施形態に説明される具体的構造、材料、または行為にのみ限定されず、加えて、本発明の代替実施形態または形態に説明されるような請求される機能を行う、または、請求される機能を行うために現在周知であるかまたは後に開発される、均等な構造、材料、または行為である、あらゆる構造、材料、または行為を含むことが意図される。
【００１２】
前述および他の側面、特徴、および利点は、発明を実施するための形態および図面および請求項から当業者に明白となるであろう。
【図面の簡単な説明】
【００１３】
例示的実施形態は、本明細書の以下に与えられる発明を実施するための形態と、同様の要素が同様の参照文字によって表される、付随の図面とからより完全に理解されるであろうが、これらは、例証としてのみ与えられ、したがって、本明細書の例示的実施形態の限定ではない。図中の要素および行為は、単純化のために図示されており、必ずしも、任意の特定のシーケンスまたは実施形態に従って与えられていない。
【００１４】
【図１】図１は、例示的実施形態による、滑脱防止眼鏡類システムの正面斜視図である。
【図２】図２は、図１の例示的実施形態による、滑脱防止眼鏡類システムの背面斜視図である。
【図３】図３は、図１−２の例示的実施形態による、滑脱防止眼鏡類システムの側面図である。
【図４】図４は、図１−３の例示的実施形態による、滑脱防止眼鏡類システムの上面図である。
【図５】図５は、図１−４の例示的実施形態による、滑脱防止眼鏡類システムの底面図である。
【図６】図６−７は、滑脱防止眼鏡類システムの例示的実施形態の斜視図を提供する。
【図７】図６−７は、滑脱防止眼鏡類システムの例示的実施形態の斜視図を提供する。
【図８】図８は、眼鏡類フレームの少なくとも一部に搭載される照明具を備える滑脱防止眼鏡類システムの例示的実施形態を描写する。
【図９】図９は、電源コードを格納するように構成されるチャネルを備える滑脱防止眼鏡類システムの第１のつるの例示的実施形態を描写する。
【図１０】図１０−１１は、滑脱防止眼鏡類システムの眼鏡類保定具の例示的実施形態を描写する。
【図１１】図１０−１１は、滑脱防止眼鏡類システムの眼鏡類保定具の例示的実施形態を描写する。
【図１２】図１２−１４は、張力調節具の例示的実施形態の分解図を描写する。
【図１３】図１２−１４は、張力調節具の例示的実施形態の分解図を描写する。
【図１４】図１２−１４は、張力調節具の例示的実施形態の分解図を描写する。
【図１５】図１５は、可撤性鼻当てを備える、滑脱防止眼鏡類システムの例示的実施形態を描写する。
【図１６】図１６−２３は、鼻当て材料を備える、鼻当ての種々の図を提供する。
【図１７】図１６−２３は、鼻当て材料を備える、鼻当ての種々の図を提供する。
【図１８】図１６−２３は、鼻当て材料を備える、鼻当ての種々の図を提供する。
【図１９】図１６−２３は、鼻当て材料を備える、鼻当ての種々の図を提供する。
【図２０】図１６−２３は、鼻当て材料を備える、鼻当ての種々の図を提供する。
【図２１】図１６−２３は、鼻当て材料を備える、鼻当ての種々の図を提供する。
【図２２】図１６−２３は、鼻当て材料を備える、鼻当ての種々の図を提供する。
【図２３】図１６−２３は、鼻当て材料を備える、鼻当ての種々の図を提供する。
【図２４】図２４は、クリップを備える、滑脱防止眼鏡類システムの第１のつるの例示的実施形態を描写する。
【図２５】図２５−２７は、滑脱防止眼鏡類システムの第１のつるおよび第１のつる延在要素の例示的実施形態を描写する。
【図２６】図２５−２７は、滑脱防止眼鏡類システムの第１のつるおよび第１のつる延在要素の例示的実施形態を描写する。
【図２７】図２５−２７は、滑脱防止眼鏡類システムの第１のつるおよび第１のつる延在要素の例示的実施形態を描写する。
【図２８】図２８−２９は、第２のつる上に示されるような張力調節具の例示的実施形態を提供する。
【図２９】図２８−２９は、第２のつる上に示されるような張力調節具の例示的実施形態を提供する。
【図３０】（記載なし）
【図３１】図３１は、図３０のＡ−Ａに沿った張力調節具の断面図を提供する。
【図３２】（記載なし）
【図３３】図３３および３４は、それぞれ、図３２のＢ−ＢおよびＣ−Ｃに沿った張力調節具の断面図を提供する。
【図３４】図３３および３４は、それぞれ、図３２のＢ−ＢおよびＣ−Ｃに沿った張力調節具の断面図を提供する。
【図３５】図３５−３６は、滑脱防止眼鏡類システムの眼鏡類保定具の締結具の実施形態を描写する。
【図３６】図３５−３６は、滑脱防止眼鏡類システムの眼鏡類保定具の締結具の実施形態を描写する。
【図３７】図３７−３９は、使用時の滑脱防止眼鏡類システムの図を提供する。
【図３８】図３７−３９は、使用時の滑脱防止眼鏡類システムの図を提供する。
【図３９】図３７−３９は、使用時の滑脱防止眼鏡類システムの図を提供する。
【図４０】図４０は、フレキシブルネック照明システムを備える、滑脱防止眼鏡類システムの例示的実施形態を描写する。
【図４１】図４１は、着脱可能眼鏡類保定具を備える、滑脱防止眼鏡類システムの例示的実施形態を描写する。
【図４２】図４２−４３は、図４１の着脱可能眼鏡類保定具のための取付点の例示的構造を描写する。
【図４３】図４２−４３は、図４１の着脱可能眼鏡類保定具のための取付点の例示的構造を描写する。
【図４４】図４４は、着脱可能鼻当てを備える、滑脱防止眼鏡類システムの実施例を提供する。
【図４５】図４５は、下側フレーム重層部を備える、着脱可能鼻当ての例示的実施形態を描写する。
【図４６】図４６は、着脱可能鼻当ての例示的実施形態の側面図を提供する。
【図４７】図４７は、下側フレーム重層部を伴う着脱可能鼻当てを備える、滑脱防止眼鏡類システムの例示的実施形態の側面図を提供する。
【図４８】図４８は、着脱可能眼鏡類保定具延在部を備える、滑脱防止眼鏡類システムの例示的実施形態を描写する。
【図４９】図４９は、図４８の着脱可能眼鏡類保定具延在部の取付点の例示的実施形態を描写する。
【図５０】図５０−５１は、照明具バーを備える、滑脱防止眼鏡類システムの例示的実施形態を描写する。
【図５１】図５０−５１は、照明具バーを備える、滑脱防止眼鏡類システムの例示的実施形態を描写する。
【図５２】図５２−５３は、照明具バーの例示的実施形態を描写する。
【図５３】図５２−５３は、照明具バーの例示的実施形態を描写する。
【図５４】（記載なし）
【図５５】（記載なし）
【図５６】（記載なし）
【図５７】（記載なし）
【図５８】（記載なし）
【発明を実施するための形態】
【００１５】
別様に定義されない限り、本明細書で使用される全ての技術的および科学的用語は、本発明が属する、当業者によって一般に理解されるものと同一意味を有する。本明細書に説明されるものと類似する方法および材料または均等物が、滑脱防止眼鏡類システムの実践または試験において使用されることができるが、好適な方法および材料は、上記に説明される。本明細書に述べられた全ての刊行物、特許出願、特許、および他の参考文献は、適用法および規制によって可能な範囲において、参照することによってその全体として組み込まれる。滑脱防止眼鏡類システムは、その精神または不可欠な属性から逸脱することなく、他の具体的形態で具現化されてもよく、したがって、本実施形態は、あらゆる点において、制限ではなく、例証と見なされることが所望される。説明内で利用される任意の見出しは、便宜上のみであって、法的または限定効果を有していない。
【００１６】
さらに、単数形の任意の言及は、複数の実施形態を含み、１つを上回る構成要素またはステップの任意の言及は、単数の実施形態またはステップを含んでもよい。また、「取り付けられる」、「固定される」、「接続される」、または同等物の任意の言及は、恒久的、可撤性、一時的、部分的、完全、および／または任意の他の可能性として考えられる取付オプションを含んでもよい。加えて、非接触（または類似語句）への任意の言及はまた、低減された接触または最小限の接触を含んでもよい。本明細書で使用されるように、「〜と接触する」、「〜に結合される」、「〜に触れる」、「〜と界面接触する」、および「〜に係合する」等の語句は、同義的に使用されてもよい。
【００１７】
本明細書全体を通して説明される本発明の特徴、構造、または特性は、１つまたはそれを上回る実施形態では、任意の好適な様式で組み合わせられてもよい。例えば、語句「例示的実施形態」、「いくつかの実施形態」、または他の類似言語の使用は、実施形態と関連して説明される特定の特徴、構造、または特性が、本発明の少なくとも一実施形態内に含まれ得るという事実を指す。したがって、本明細書全体を通した語句「例示的実施形態」、「いくつかの実施形態では」、「他の実施形態では」、または他の類似言語の表出は、必ずしも全てが実施形態の同一の群を指すわけではなく、説明される特徴、構造、または特性は、１つまたはそれを上回る実施形態では、任意の好適な様式で組み合わせられてもよい。
【００１８】
図１−７は、使用の間、位置を変化させずに、ユーザの顔上の定位置に留まるように設計される、滑脱防止眼鏡類システム１０の例示的実施形態を提供する。本システムは、任意のタイプの眼鏡類と併用されてもよいことが検討されるが、そのようなシステムは、特に、医療、歯科、獣医学、または宝石業界において使用されるもの等のルーペ４８が採用されるときに有用であり得る。ルーペ４８は、種々の重量であり得るが、それらは、概して、眼鏡類フレーム３２の重量と比較して重く、これは、ユーザが下を見るとき、または対象を拡大倍率で視認する通常過程においてユーザの頭部の位置を変化させるとき、従来の眼鏡類システムが下向きに摺動する結果をもたらす。これが生じることを防止するために、本明細書に開示されるような滑脱防止眼鏡類システム１０の実施形態は、本書全体を通して説明される要素のうちの１つまたはそれを上回るものを備え、滑脱を阻止し、使用時、眼鏡類システムを適切な位置に保定してもよい。
【００１９】
滑脱防止眼鏡類システム１０のいくつかの実施形態は、眼鏡類フレーム３２のブリッジ１４と噛合する、または別様にそれに結合するように構成される、鼻当て１１を備えてもよい。鼻当て１１は、図１５に示されるように、着脱可能であってもよい、または代替として、眼鏡類フレーム３２のブリッジ１４と一体型であってもよい。図１６−２１は、鼻当て１１の例示的実施形態の背面、正面、側面、上面、および底面図を提供する。示されるように、鼻当て１１は、ユーザの個々の顔特徴に従って成形され得る、鼻当て材料１２から成る。これは、鼻当て１１を成形可能材料から構築することによって、またはユーザの顔を３次元走査し、鼻当て１１をユーザの顔の輪郭に適合するように製造することによって、遂行されてもよい。これは、鼻当て１１が、図３７−３９に示されるように、平坦な鼻梁またはあまり顕著ではない鼻梁を有するユーザによって装着されることが意図される、滑脱防止眼鏡類システム１０の要素であるとき、特に有利である。ユーザの顔と接触するであろう、鼻当て材料１２の部分の深度、形状、および輪郭をカスタマイズすることによって、鼻当て１１は、あまり顕著ではない鼻梁を伴う装着者が、眼鏡類フレーム３２のブリッジ１４とユーザの鼻梁または他の顔表面との間の間隙の存在を回避することを可能にする。
【００２０】
図１８−１９に示されるように、鼻当て１１は、鼻当て１１の上部表面の少なくとも一部に沿って延設される、鼻当て溝１３を備えてもよい。本鼻当て溝１３は、滑脱防止眼鏡類システム１０が使用時、鼻当て１１が眼鏡類フレーム３２に固着されるように、眼鏡類フレーム３２のブリッジ１４と噛合するように構成される。鼻当て溝１３は、本構成が鼻当て１１が眼鏡類フレーム３２の正面を越えて過度に突出しないよう保つように、鼻当て１１の正面の近位に描写されるが、鼻当て溝１３は、鼻当て１１の上部表面上の任意の場所に位置してもよいことが検討される。いくつかの実施形態では、鼻当て１１は、図２２−２３に示されるように、少なくとも１つの換気開口部４０を備え、空気が鼻当て１１を通して通過することを可能にし、滑脱防止眼鏡類システム１０のユーザの快適性を向上させることが好ましくあり得る。
【００２１】
滑脱防止眼鏡類システム１０のいくつかの実施形態は、眼鏡類フレーム３２の第１のヒンジ１６および第１のつる１８に結合される、張力調節具１５の実施例を描写する、図９に示されるように、眼鏡類フレーム３２の第１のつる１８および第２のつる１９のうちの少なくとも１つに結合される、張力調節具１５を備えてもよい。ここで、張力調節具１５の実施例の分解図を提供する、図１２−１４に目を向けると、張力調節具１５は、筐体２４を備えてもよく、その中に、第２のつるの第１の端部２２が、少なくとも部分的に通過する。第２のつるの第１の端部２２は、雌ねじ付きバレル２５およびばね２６をその中に着座させるように構成される陥凹５２を備えてもよい。雌ねじ付きバレル２５は、図２８−２９の組み立てられた描写に示されるように、ばね２６を通して少なくとも部分的に通過する。調節ねじ２７が、筐体２４、第２のつるの第１の端部２２の陥凹部分５２、およびその中で調節ねじ２７が雌ねじ付きバレル２５に螺合結合する、雌ねじ付きバレル２５の中に少なくとも部分的に通過する。ユーザは、図３０−３２における張力調節具１５の断面図に示されるように、ユーザによって装着されたとき、滑脱防止眼鏡類システム１０の張力および対応する適合を緊締または弛緩させるために、調節ねじ２７を旋回させることによって、雌ねじ付きバレル２５の中に調節ねじ２７が通過する深度を調節してもよい。雌ねじ付きバレル２５、ばね２６、および第２のつるの第１の端部２２の陥凹部分５２は、カバー４５によって保護されてもよく、それを通して、調節ねじ２７はまた、通過してもよい。いくつかの実施形態では、カバー４５は、実質的に透明であって、ユーザが、調節ねじ２７が緊締された深度を確認することを可能にしてもよい、またはカバー４５は、１つまたはそれを上回る測定用の段階的変化を備え、ユーザが、各つる１８、１９が張力調節具１５を備えるとき、両張力調節具１５を一貫して調節することを補助してもよい。
【００２２】
例えば、眼鏡類システムがルーペ４８を備えるとき等のいくつかの用途では、ユーザは、ユーザが、ルーペ４８を適切に利用するために、位置を変化させることまたはユーザの頭部を不快な角度に保持することを強制せずに、ルーペ４８または他の拡大レンズが視認される角度を変化させるように、眼鏡類フレーム３２の角度をつる１８、１９および／または張力調節具１５に対して調節することを所望し得る。これは、眼鏡類フレームのヒンジ１６、１７の近位の張力調節具筐体２４の端部を通して通過する角度調節ねじ２８の使用を通して遂行されてもよい。図１２−１４に示されるように、筐体２４は、ヒンジ１７がその中に着座され、張力調節具１５がユーザの頭部から外向きに突出する程度を最小限にすることを可能にする、陥凹部分を備えてもよい。図３８は、ヒンジ１７が張力調節具１５および第２のつるの第１の端部２２と平行である、実施例を提供する。しかしながら、図３９では、角度調節ねじ２８は、ルーペ４８が、図３８におけるように、地面に向かって角度付けられるのではなく、地面と略平行であるとき、眼鏡類フレーム３２がユーザがルーペ４８を通して見ることを可能にするよう傾斜されるように、張力調節具１５および第２のつるの第１の端部２２に対する角度で、ヒンジ１７を保持するよう緊締されている。図３３−３４は、ヒンジ１７と螺合結合するように緊締されるときの角度調節ねじ２８の位置付けを図示する、断面図を描写する。
【００２３】
図４−５に示されるように、滑脱防止眼鏡類システム１０のいくつかの実施形態は、使用時、滑脱防止眼鏡類システム１０の意図されない移動または再位置付けを防止するように、滑脱防止眼鏡類システム１０をユーザの頭部に固着して締結するための眼鏡類保定具２９を備えてもよい。眼鏡類保定具２９は、それぞれ、第１および第２のつるの第２の端部２２、２３から延在する、第１および第２のつる延在要素３０、３１を備えてもよい。第１および第２のつる延在要素３０、３１は、つる１８、１９自体と一体型であってもよいが、いくつかの実施形態では、第１および第２のつるの第２の端部２２、２３は、それぞれ、第１および第２のつる延在要素の第２の端部３６、３８に結合される。ユーザが、滑脱防止眼鏡類システム１０を容易に着用および除去することを可能にするために、眼鏡類保定具２９は、第１および第２の締結要素５０、５１を第１および第２のつる延在要素の第１の端部３５、３７の近位に備えてもよい。本開示は、例えば、磁気またはフックおよびループ閉鎖具等、任意の適切な締結機構が使用されてもよいことを検討するが、いくつかの実施形態では、図３５に示されるように、第１のつる延在要素３０は、つる延在要素の第１の端部３５、３７が、使用時、滑脱防止眼鏡類システム１０を固着するように重ねられるとき、第２のつる延在要素の第１の端部３７の近位にある第２のつる延在要素３１内の開口部３４によって受容される突出部３３を第１のつる延在要素の第１の端部３５の近位に備える。ユーザ快適性を向上させるために、第１および第２のつる延在要素３１、３１が、相互に係合されたとき、第２のつる延在要素３１は、第１のつる延在要素が、図３５におけるように重なるのではなく、図３６に示されるように、第２のつる延在要素の第１の端部３７の残りの部分と略同一平面に留まるように、陥凹を備えてもよい。これは、ユーザの後頭部と不均一ではなく、平滑な接触表面を作成する。
【００２４】
つる延在要素３０、３１をつる１８、１９に結合する任意の容認可能な方法が、利用されてもよいが、図２４−２７は、つる１８、１９およびつる延在要素３０、３１のそれぞれの少なくとも１つ上で使用され得る、第１および第２のつる延在要素３０、３１を第１および第２のつるの第２の端部２１、２３に結合する例示的様式を描写する。示されるように、第１のつるの第２の端部２１は、第１のつる延在要素の第２の端部３６上の複数の対応する開口部４７と噛合し、第１のつる延在要素３０を第１のつる１８に固着する、複数の隆起した突出部４６を備えてもよい。
【００２５】
滑脱防止眼鏡類システム１０のいくつかの実施形態はさらに、図４−５および１０に示されるように、眼鏡類保定具２９から突出する、眼鏡類保定具延在部３９を備えてもよい。ユーザは、単に、眼鏡類保定具２９をユーザの頭部にわたって摺動させることによって、滑脱防止眼鏡類システム１０を除去し得るが、ユーザがシステムをユーザの頭部にわたって継続的に移動させることを回避することが好ましく、かつより便宜的であり得る。したがって、眼鏡類保定具２９が、ユーザの頭部の背後に締結されるとき、ユーザが滑脱防止眼鏡類システム１０を除去することを所望すると、ユーザは、眼鏡類保定具２９の締結要素５０、５１の締結を解除し、非使用時、滑脱防止眼鏡類システム１０を支持し、システムがユーザの胸部上に静置されることを可能にする、眼鏡類保定具延在部３９によって、滑脱防止眼鏡類システム１０が、ユーザの頸部から吊架されることを可能にする。これは、滑脱防止眼鏡類システム１０が、システムをユーザの頭部にわたって摺動させる必要なく、ユーザによって容易に再係合されることを可能にする。
【００２６】
いくつかの用途では、ユーザは、ユーザが視認している面積をより良好に照射するために、付加的照明具を所望し得る。故に、滑脱防止眼鏡類システム１０のいくつかの実施形態は、例えば、ＬＥＤ電球等の照明具４１または他の照射源を備えてもよい。図８は、眼鏡類フレーム３２のブリッジ１４の近位の眼鏡類フレーム３２に結合される、そのような照明具４１を描写するが、照射源は、例えば、適切な照射を可能にする、フレームの片側または他側等、フレーム３２上の任意の場所に位置してもよい。照明具ブラケット５３（図３７に示される）が、照明具４１を眼鏡類フレーム３２に結合するために使用され、ルーペ４８に対して照明具４１が位置付けられる角度またはユーザの視点が指向される作業面積に対して照明具４１が位置付けられる角度の調節を可能にしてもよい。照明具４１が、照明具４１から遠隔に位置する電源を要求する場合、照明具の電源コード４９が、図８に示されるように、電源コード４９を張力調節具１５のうちの１つの筐体２４のいずれかの側のチャネル４２を通して延設させることによって、ユーザの邪魔にならないようにしてもよい。クリップ４４または他の締結具が、対応するつる１８、１９上に位置し、電源コード４９をさらに固着してもよく、眼鏡類保定具２９はさらに、眼鏡類保定具チャネル４３を備えてもよく、その中に、電源コード４９が、着座され、電源コード４９がユーザの背中の背後に延設されることを可能にしてもよい。図１１および３５−３６は、眼鏡類保定具２９の締結要素５０、５１によって形成される、眼鏡類保定具チャネル４３を描写するが、任意の他の好適な場所もまた、本開示によって検討される。
【００２７】
ユーザが滑脱防止眼鏡類システム１０上の１つまたはそれを上回る照明具４１の角度または方向を調節する能力を有することが、望ましくあり得る。したがって、いくつかの実施形態では、図４０に示されるように、滑脱防止眼鏡類システムはさらに、１つまたはそれを上回るフレキシブルネック照明具５４を備え、調節を可能にする、フレキシブルネック照明システムを備えてもよい。１つまたはそれを上回るフレキシブルネック照明具５４は、滑脱防止眼鏡類システム１０上の任意の場所に位置してもよいが、いくつかの実施形態では、図４０に示されるように、フレキシブルネック照明具５４をつる１８、１９または張力調節具１５の上側部分に沿って位置させることが好ましくあり得る。フレキシブルネック照明具５４が、電源コード４９を備える場合、電源コード４９は、上記の他の実施形態と関連して議論されるように、張力調節具筐体２４または眼鏡類保定具２９内のチャネルを通して通過してもよい。例えば、発光ダイオード（ＬＥＤ）等の非常に低い電力要件を伴う照明具５４に関して、張力調節具１５の筐体２４、つる１８、１９、眼鏡類保定具２９、または滑脱防止眼鏡類システム１０上の任意の他の好適な場所上に位置し得る、フレキシブルネック照明具基部５５内に格納され得る、バッテリを電源として使用することが、好ましくあり得る。
【００２８】
図４１に描写されるもの等のいくつかの実施形態では、滑脱防止眼鏡類システム１０は、システムが眼鏡類保定具２９および眼鏡類保定具延在部３９を用いずに使用され得るように、着脱可能眼鏡類保定具２９を備えてもよい、またはこれらの要素は、ルーペ４８の修理が必要であって、ユーザが、一次アイテムが修理のために発送されている間に使用され得る補助ルーペ４８を有する場合、代替滑脱防止眼鏡類システム１０と併用されてもよい。眼鏡類保定具２９をつる１８、１９に取り付けるための任意の好適な方法が、使用されてもよいが、いくつかの実施形態では、各つるの第２の端部２１、２３および第１および第２のつるの延在要素の第２の端部３６、３８は、眼鏡類保定具取付ねじ５７をそれを通して通過させ、眼鏡類保定具２９をつる１８、１９に固着するように構成される、開口部５６を備えてもよい。
【００２９】
ここで図４４−４７を参照すると、滑脱防止眼鏡類システム１０のいくつかの実施形態は、着脱可能鼻当て１１を備えてもよく、これは、いくつかの実施形態では、下側フレーム重層部５８をさらに備え、着脱可能鼻当て１１を眼鏡類フレーム３２に固着してもよい。いくつかのそのような実装は、鼻当て１１の厚さを低減させるために使用される、拡張具５９を備えてもよい。拡張具５９は、任意の好適な材料から作製されてもよいが、好ましくは、使用時、眼鏡類システムをユーザの顔上に支持するために適切な強度の金属、合金、または他の軽量材料から成る。いくつかの実施形態では、拡張具５９をゴムまたは他の可撓性材料内にカプセル化し、ユーザ快適性を向上させることが、好ましくあり得る。拡張具５９の使用は、鼻当てが、所定のサイズで購入され、拡張具５９にクリップ留めされることを可能にし得、ユーザの顔に対する鼻当て１１の角度が、次いで、拡張具５９を使用して調節されることができる。拡張具５９は、直接、眼鏡類フレーム３２にクリップ留めされてもよいが、いくつかの実施形態では、拡張具５９は、図４５−４６に示されるように、使用時、眼鏡類フレーム３２の下側部分と噛合し、着脱可能鼻当て１１をフレーム３２に固着するように構成される、溝６０をその上側表面内にさらに備え得る、下側フレーム重層部５８に結合されてもよい。下側フレーム重層部５８は、ユーザ快適性を向上させ、剛性眼鏡類フレーム３２がユーザの顔の中に突出することを防止し得、また、生体有害物質がユーザの眼に接触することを防止するための跳ねよけとしての役割を果たすことによって、ユーザの安全性を向上させ得る。
【００３０】
滑脱防止眼鏡類システム１０のいくつかの実施形態は、図４７−４８に示されるように、着脱可能眼鏡類保定具延在部３９を備えてもよい。図４９に描写されるように、眼鏡類保定具２９は、取付ねじ６３が着脱可能眼鏡類保定具延在部３９を眼鏡類保定具２９に固着するために使用され得るように、眼鏡類保定具延在端部６２と噛合するように構成される、開口部６１を備えてもよい。
【００３１】
図５０−５３に示されるように、滑脱防止眼鏡類システム１０のいくつかの実施形態は、照明が照明具の単一点源によって提供され得るものより広い視覚範囲にわたって所望されるときの使用のための照明具バー６４を備えてもよい。照明具バー６４は、その角度に関して調節可能であり得る、任意の数の照明具４１を備えてもよく、いくつかの実施形態では、１つまたはそれを上回る照明具４１は、フレキシブルネックを備え、ユーザによる最大調節範囲を可能にしてもよい。照明具バーは、眼鏡類フレーム３２の上部に結合されてもよく、着脱可能であってもよい。照明具バー６４がバッテリ動作式ではない事例では、電源コード４９が、張力調節具４２の筐体上のチャネルおよび／または眼鏡類保定具４３上のチャネルを通して延設されてもよい。照明具バーはさらに、使用が所望されるとき、眼鏡類フレーム３２の上部と噛合し、照明具バーを固着するように構成される、溝６５を備えてもよい。
【００３２】
上記の説明が滑脱防止眼鏡類システムの特定の実装を指す場所では、いくつかの修正が、その精神から逸脱することなく行われてもよく、これらの実装は、滑脱防止眼鏡類システムのための他のシステムおよび技法に適用されてもよいことが容易に明白になるはずである。
【図１】
2018538579.tif 000003
【図２】
2018538579.tif 000004
【図３】
2018538579.tif 000005
【図４】
2018538579.tif 000006
【図５】
2018538579.tif 000007
【図６】
2018538579.tif 000008
【図７】
2018538579.tif 000009
【図８】
2018538579.tif 000010
【図９】
2018538579.tif 000011
【図１０】
2018538579.tif 000012
【図１１】
2018538579.tif 000013
【図１２】
2018538579.tif 000014
【図１３】
2018538579.tif 000015
【図１４】
2018538579.tif 000016
【図１５】
2018538579.tif 000017
【図１６】
2018538579.tif 000018
【図１７】
2018538579.tif 000019
【図１８】
2018538579.tif 000020
【図１９】
2018538579.tif 000021
【図２０】
2018538579.tif 000022
【図２１】
2018538579.tif 000023
【図２２】
2018538579.tif 000024
【図２３】
2018538579.tif 000025
【図２４】
2018538579.tif 000026
【図２５】
2018538579.tif 000027
【図２６】
2018538579.tif 000028
【図２７】
2018538579.tif 000029
【図２８】
2018538579.tif 000030
【図２９】
2018538579.tif 000031
【図３０】
2018538579.tif 000032
【図３１】
2018538579.tif 000033
【図３２】
2018538579.tif 000034
【図３３】
2018538579.tif 000035
【図３４】
2018538579.tif 000036
【図３５】
2018538579.tif 000037
【図３６】
2018538579.tif 000038
【図３７】
2018538579.tif 000039
【図３８】
2018538579.tif 000040
【図３９】
2018538579.tif 000041
【図４０】
2018538579.tif 000042
【図４１】
2018538579.tif 000043
【図４２】
2018538579.tif 000044
【図４３】
2018538579.tif 000045
【図４４】
2018538579.tif 000046
【図４５】
2018538579.tif 000047
【図４６】
2018538579.tif 000048
【図４７】
2018538579.tif 000049
【図４８】
2018538579.tif 000050
【図４９】
2018538579.tif 000051
【図５０】
2018538579.tif 000052
【図５１】
2018538579.tif 000053
【図５２】
2018538579.tif 000054
【図５３】
2018538579.tif 000055
【図５４】
2018538579.tif 000056
【図５５】
2018538579.tif 000057
【図５６】
2018538579.tif 000058
【図５７】
2018538579.tif 000059
【図５８】
2018538579.tif 000060
【国際調査報告】
2018538579.tif 000061